(57)【要約】【課題】読み取りが完了した標識を識別可能なスキャナー装置を提供する。【解決手段】媒体Ｐに表示された標識Ｂを読み取る標識読取部１０と、前記媒体ＢにマークＭを描画する描画部２０と、を備え、前記標識読取部１０の読取可能領域と前記描画部２０の描画可能領域とは、少なくとも重複する領域を有し、前記標識読取部１０が前記標識Ｂの読み取りを完了したときに、前記描画部２０は前記標識Ｂの表示領域にかかるよう前記マークＭを描画することを特徴とするスキャナー装置１００。【選択図】図１
2012022550.tif 000002
【特許請求の範囲】
【請求項１】
媒体に表示された標識を読み取る標識読取部と、
前記媒体にマークを描画する描画部と、を備え、
前記標識読取部の読取可能領域と前記描画部の描画可能領域とは、少なくとも重複する領域を有し、
前記標識読取部が前記標識の読み取りを完了したときに、前記描画部は前記標識の表示領域にかかるよう前記マークを描画することを特徴とするスキャナー装置。
【請求項２】
前記標識読取部は、前記標識を読み取るための光を照射する反射部を有し、
前記描画部は、インクを吐出するインクジェットヘッドを有し、
前記標識読取部および前記描画部は、前記光の照射方向と、前記描画部の前記インクジェットヘッドのインク吐出方向とが交差するように配置されていることを特徴とする請求項１に記載のスキャナー装置。
【請求項３】
前記標識読取部および前記描画部は、手持ち可能な筐体に収容されていることを特徴とする請求項１および２に記載のスキャナー装置。
【請求項４】
媒体に表示された標識を光学的読み取り方法で読み取る標識読取工程と、
前記標識が読み取られたことを判定する読取判定工程と、
前記読取判定工程で前記標識が読み取られたことを認知したとき、インクジェットヘッドを用い、前記媒体の前記標識の表示領域にかかるようにインクを吐出してマークを形成するマーキング工程と、を有することを特徴とするスキャナー装置の制御方法。
【発明の詳細な説明】
【技術分野】
【０００１】
本発明は、バーコード等の標識を読み取るスキャナー装置、およびスキャナー装置の制御方法に関する。
【背景技術】
【０００２】
販売、物流や製造等の分野において、物品管理等を目的にバーコードや二次元コード等の標識が用いられている。例えば、レストランのオーダリングシステムでは、注文された品目が厨房に注文一覧として発行される。作業者は、この注文一覧を見て注文された品を調理し顧客に提供する。また、倉庫等では出庫すべき品目が一覧表で発行される。作業者は、この一覧表に基づいて品目を選択して出庫する。大規模店や大型倉庫では非常に多くの品目がランダムに指定される。そのため、品目を識別するバーコードや二次元コード等の標識が用いられ、作業者はその標識に基づいて作業をする。そして、これらの標識を読み取るためにバーコードリーダーを代表とするスキャナー装置が用いられる。
【０００３】
作業者は、非常に多くの品目が指示されるため、どこまでのバーコードを読み取ったか不明になり、一旦読み取ったバーコードを２度読みしてしまうことや読みとばしてしまう等のミスがあった。このようなミスを防ぐため、スキャナー装置に印字機能部を付加して読み取ったバーコードの近傍に読み取り完了の表示（印字）を行うハンディスキャナー装置およびその制御方法が提案されている（例えば、特許文献１参照）。
【先行技術文献】
【特許文献】
【０００４】
【特許文献１】特開２００１−２６６０６２号公報
【発明の概要】
【発明が解決しようとする課題】
【０００５】
上述のハンディスキャナー装置および制御方法において、バーコードの読み取りが完了した旨の表示は、媒体のバーコード等の表示領域以外の領域に行われる。そのため、媒体に特定の印字領域を設ける必要があり、一覧表の様式が規制されたりサイズが大きくなってしまうとの課題があった。
【課題を解決するための手段】
【０００６】
本発明は、上述の課題の少なくとも一部を解決するためになされたものであり、以下の形態または適用例として実現することが可能である。
【０００７】
（適用例１）媒体に表示された標識を読み取る標識読取部と、前記媒体にマークを描画する描画部と、を備え、前記標識読取部の読取可能領域と前記描画部の描画可能領域とは、少なくとも重複する領域を有し、前記標識読取部が前記標識の読み取りを完了したときに、前記描画部は前記標識の表示領域にかかるよう前記マークを描画することを特徴とするスキャナー装置。
【０００８】
この構成によれば、スキャナー装置は標識読取部と描画部とを有している。そして、標識読取部の読取可能領域と描画部の描画可能領域とは重複する領域を有している。そのため、標識読取部によって、媒体としての記録用紙に表示された標識としてのバーコードや２次元コードを読み取ることができるとともに、描画部によって、標識の表示領域にかかるように読み取りが完了したことを示すマークを描画することができる。そのため、読み取りが完了した標識が明確に識別でき、標識の２度読みや読みとばし等の読み取りミスを低減することができる。また、標識の表示領域に描画が行われるため、媒体に特定の印字領域を設ける必要がなく、一覧表の様式を自由に決めることができる。また、一覧表のサイズを小さくすることができる。
【０００９】
（適用例２）前記標識読取部は、前記標識を読み取るための光を照射する反射部を有し、前記描画部は、インクを吐出するインクジェットヘッドを有し、前記標識読取部および前記描画部は、前記光の照射方向と、前記描画部の前記インクジェットヘッドのインク吐出方向とが交差するように配置されていることを特徴とする上記のスキャナー装置。
【００１０】
この構成によれば、スキャナー装置において、読み取りのための光の照射方向とマークを描画するインクジェットヘッドのインク吐出方向とは交差する。そのため、１つの標識の表示領域に対して、標識の読み取りおよびマークの描画の双方の作業を行うことができる。
【００１１】
（適用例３）前記標識読取部および前記描画部は、手持ち可能な筐体に収容されていることを特徴とする上記のスキャナー装置。
【００１２】
この構成によれば、ハンディタイプのスキャナー装置を提供することができる。
【００１３】
（適用例４）媒体に表示された標識を光学的読み取り方法で読み取る標識読取工程と、前記標識が読み取られたことを判定する読取判定工程と、前記読取判定工程で前記標識が読み取られたことを認知したとき、インクジェットヘッドを用い、前記媒体の前記標識の表示領域にかかるようにインクを吐出してマークを形成するマーキング工程と、を有することを特徴とするスキャナー装置の制御方法。
【００１４】
この方法によれば、スキャナー装置は、標識読取工程において、媒体としての記録用紙に表示された標識としてのバーコードや２次元コードを読み取ることができる。そして、読取判定工程で標識が正しく読み取られたことを認知したとき、マーキング工程においてインクジェットヘッドによって、標識の表示領域にかかるように読み取りが完了したことを表わすマークを描画することができる。そのため、読み取りが完了した標識が明確になり、標識の２度読みや読み取り抜け等の読み取りミスを低減することができ、作業の信頼性を向上することができる。また、標識の表示領域に描画が行われるため、媒体に特定の印字領域を設ける必要がなくなり、一覧表の様式を自由に決めることができる。また、一覧表のサイズを小さくすることができる。
【図面の簡単な説明】
【００１５】
【図１】スキャナー装置の構成を説明する図。
【図２】標識読取部を説明する図。
【図３】描画部を説明する図。
【図４】スキャナー装置の構成を示すブロック図。
【図５】スキャナー装置の動作を示すフローチャート。
【図６】媒体に表示されたバーコード一覧表の例を示す図。
【発明を実施するための形態】
【００１６】
以下、本実施形態を図面を参照して説明する。なお、以下の説明で参照する図面では、説明および図示の便宜上、部材ないし部分の縦横の縮尺を実際のものとは異なるように表す場合がある。
【００１７】
（スキャナー装置の全体構成について）
まず、スキャナー装置の全体構成について、バーコードを読み取るハンディスキャナーを例にとり図１を参照して説明する。図１は、スキャナー装置の構成を説明する図であり、（ａ）は、スキャナー装置の斜視図、（ｂ）は、スキャナー装置の側面図である。このハンディスキャナーは、例えば、レストランのオーダリングシステム、物品の製造や物流等の分野に適用され、標識としてバーコードや２次元コードを読み取る。なお、図１に示すＸ方向およびＹ方向は、標識が表示されている媒体の２次元平面方向を示し、Ｚ方向は、Ｘ方向およびＹ方向と直交する方向を示す。詳しくは、Ｘ方向は、媒体に表示される標識の表示方向（桁方向）を示し、Ｙ方向はＸ方向と直交する方向を示す。
【００１８】
図１（ａ）に示すように、ハンディスキャナー１００は、標識読取部１０と、描画部２０と、制御部３０と、これらを収容する筐体５０と、を有する。ハンディスキャナー１００の筐体５０は、プラスチック等の材料で形成され、略直方体形状の本体部５１と本体部５１の１つの面から突出する握り部５２とを有する。本体部５１には後述する標識読取部１０と描画部２０とが収容され、本体部５１の図１（ａ）中Ｚ方向下方の面から標識読取部１０および描画部２０の一部がＸ方向に沿ってＹ方向に並列した状態で露出している。また、握り部５２の内部には制御部３０が収容される。
【００１９】
（スキャナー装置の構成要素について）
次いで、スキャナー装置の構成要素について、図２〜４を参照して説明する。図２は、標識読取部の構成を説明する概略図であり、詳しくは、標識読取部を図１（ａ）中Ｙ方向から見た図である。図３は、描画部の構成を説明する図であり、詳しくは、描画部のインクジェットヘッドを底面側から見た斜視図である。図４は、スキャナー装置の構成を示すブロック図である。図２および図３に示すＸ方向、Ｙ方向およびＺ方向は、図１に示すＸ方向、Ｙ方向およびＺ方向と同一な方向を示す。
【００２０】
まず、標識読取部１０について説明する。本実施形態では、標識読み取り方式としてレーザースキャン方式を適用した場合を例にとり説明する。
図２に示すように、標識読取部１０は、発光部１２と、反射部１４と、受光部１６とを備える。発光部１２はレーザー光線を照射するレーザー光源１２ａを有する。反射部１４は、走査ミラー１５を有し、走査ミラー１５を回転させることによって発光部１２から照射されるレーザー光線を図中Ｘ方向に往復走査する。このＸ方向の走査を主走査と呼ぶ。また、走査ミラー１５を反復振動させることによって発光部１２から照射されるレーザー光線を図中Ｙ方向に所定幅往復走査することができる。このＹ方向の走査を副走査と呼ぶ。
【００２１】
反射部１４によって走査されるレーザー光線は、図１（ａ）に示すハンディスキャナー１００の本体部５１のＺ方向底面側から照射され、媒体としての用紙Ｐに表示された標識としてのバーコードＢを桁方向（Ｘ方向）もしくは幅方向（Ｙ方向）にスキャンする。図２に示す受光部１６は、フォトダイオード等の光学センサーを有し、レーザー光線によるバーコードＢからの反射光を受光して電気信号に変換して出力する。なお、受光部１６は、バーコードＢからの反射光を集光する集光レンズを備えていてもよい。
【００２２】
次いで、描画部２０について説明する。本実施形態において、描画部２０は、インクをインク滴として吐出するインクジェットヘッド２１を有する。図３に示すように、インクジェットヘッド２１は、液状体導入部２２と、ヘッド基板２３と、ヘッド本体２７と、コネクター２８とを備えている。
【００２３】
液状体導入部２２は、方形に形成され２連の接続針２９を有し、ヘッド基板２３の一方の面に設けられている。この接続針２９には図示しないインクタンクから図示しないインク供給管を介してインクが供給される。ヘッド基板２３は、長手方向の長さが液状体導入部２２の長手方向の長さより長い長方形の板状に形成され、液状体導入部２２が設けられている面に、さらに２個のコネクター２８が設けられている。このコネクター２８は例えば図示しないＦＦＣを介して後述する制御部３０に接続されヘッドの制御信号等が供給される。ヘッド本体２７は、方形に形成され、ヘッド基板２３の他方の面に、液状体導入部２２と対峙するように設けられている。
【００２４】
ヘッド本体２７は、液状体導入部２２に連なるポンプ部２４と、ポンプ部２４に連なるノズルプレート２５とを有している。ノズルプレート２５のノズル面２５ａには、複数のノズル２６が形成されている。複数のノズル２６は、ノズル面２５ａにＸ方向に沿って所定のピッチ間隔を有してノズル列２６ａを形成している。ポンプ部２４には、図示しない圧電素子が設けられており、圧電素子を後述する制御部３０からの制御信号に基づいて駆動することによって、液状体導入部２２から供給されてきた液状体としてのインクをノズル２６からインク滴として吐出する。一つのノズル２６に対応して一つの圧電素子が設けられており、それぞれのノズル２６毎に独立してインク滴を吐出することができる。
【００２５】
なお、このインクジェットヘッド２１は、図１に示すハンディスキャナー１００の本体部５１に収容されたとき、ノズル２６が図１（ｂ）中Ｚ方向下方、すなわち用紙Ｐに対向する。このように配置されることによって、描画部２０のインクジェットヘッド２１は、用紙Ｐの表面にインク滴を吐出し、直線等のマークを描画することができる。
【００２６】
図４に示すように、制御部３０は、信号変換部３２とヘッドドライバー３４とコントロール部３５とを備える。信号変換部３２は、標識読取部１０の受光部１６から出力された電気信号を変換して反射光の明暗の明部と暗部との時間幅を示すデータを生成するとともに各種信号の授受を行う。ヘッドドライバー３４は、コントロール部３５からの指令に基づいて、インクジェットヘッド２１のインク滴の吐出を制御する。コントロール部３５は、ＣＰＵ（Central Processing Unit）３６、情報処理部３７およびメモリー部３８を備えている。ＣＰＵ３６は、標識読取部１０で読み取られ信号変換部３２で変換されたデータの演算や描画等の各種処理を実行する。
【００２７】
メモリー部３８は、図示しないＲＡＭ（Random Access Memory）やＲＯＭ（Read Only Memory）などを含んだ構成を有している。ＲＡＭは、ＣＰＵ３６によって実行される各種処理等のプログラムを一時的に展開したり、各種データを一時的に格納したりする。ＲＯＭは、例えば不揮発性半導体メモリーで構成され、インクジェットヘッド２１の駆動周波数を制御する吐出制御プログラムの他、ＣＰＵ３６が実行する各種のプログラムが格納されている。情報処理部３７は、信号変換部３２から入力されたデータをデコードするとともに、デコードされたデータの正誤を判定する演算処理等の処理を行う。
【００２８】
なお、上述のハンディスキャナー１００において、標識読取部１０と描画部２０とは、本体部５１内にＸ方向に沿うようにＹ方向に並列した状態で配置されている。ところが、Ｚ方向においては互いの主軸が平行ではなく延長線上で交差するように配置されている。すなわち、描画部２０のインクジェットヘッド２１からインクをインク滴として吐出する方向（主軸）は図１（ｂ）中Ｚ方向下方向、すなわちＺ軸に沿っている。一方、標識読取部１０は、反射部１４から走査されるレーザー光線のＸ方向（主走査方向）から見た主軸がＺ軸に対して所定の角度を有するように斜めに配置されている。このように配置されることによって、１つのバーコードＢの表示領域に対して、標識読取部１０による標識の読み取りおよび描画部２０によるマークの描画の双方の作業を行うことができる。
【００２９】
（スキャナー装置の制御方法について）
ここで、上述のハンディスキャナーを用いた標識の読取方法およびその制御方法について、図５および図６を参照して説明する。図５は、ハンディスキャナーの動作を示すフローチャートである。図６は、媒体としての用紙Ｐに表示された標識としてのバーコード一覧表の例を示す図であり、（ａ）は、読み取り作業前の一覧表、（ｂ）は、読み取り作業終了後の一覧表である。図６に示すＸ方向およびＹ方向は、図１に示すＸ方向およびＹ方向と同一な方向を示す。
【００３０】
図５に示すように、ハンディスキャナーの制御方法は、少なくともセット工程Ｓ１と標識読取工程Ｓ２と読取判定工程Ｓ３とマーキング工程Ｓ４とを有する。
【００３１】
図５に示すセット工程Ｓ１では、図６（ａ）に示す用紙Ｐの読み取るべきバーコードＢ１に対して、ハンディスキャナー１００の読取り面を位置合わせしつつ対峙させる。このとき、ハンディスキャナー１００は、レーザースキャン方式を用いているため読み取り面とバーコードまでの距離は間隔を空けることが可能である。
【００３２】
標識読取工程Ｓ２では、ハンディスキャナー１００を用いてバーコードＢ１を読み取る。すなわち、図１に示す握り部５２に設けられている図示しない読み取りボタンを操作して図２に示す標識読取部１０を動作させる。すなわち、制御部３０（図４）の制御の基に、図２に示す標識読取部１０の発光部１２からレーザー光線を反射部１４の走査ミラー１５に向けて照射する。走査ミラー１５は図２中Ｚ軸を回転軸として回転するとともにＺ方向に反復振動する。そのため、反射部１４によって反射されるレーザー光線は、ハンディスキャナー１００の本体部５１のＺ方向下側の読み取り面から照射され、用紙Ｐに表示されたバーコードＢ１に対して、桁方向（Ｘ方向）を主走査、幅方向（Ｙ方向）を副走査として複数回往復スキャンする。
【００３３】
照射されたレーザー光線は、用紙Ｐに表示されたバーコードＢ１面で反射する。バーコードは一般に黒バー（暗部）と白バー（明部）によって構成される。従って、反射光は明暗の違いによって強弱を有する。バーコードＢ１で反射された反射光は図２に示す受光部１６によって受光される。受光部１６はフォトダイオード等の光学センサーを有する。そのため、受光した反射光は電気信号に変換される。この電気信号は、図４に示す制御部３０の信号変換部３２に送信される。なお、本実施形態では、標識読取部１０の反射部１４から走査されるレーザー光線は主軸がＺ軸に対して所定の角度を有するように斜めに照射される。
【００３４】
図５に示す読取判定工程Ｓ３では、読取ったバーコードＢ１の読み取りが正しく行われたか否かの判定を行う。図４に示す制御部３０の信号変換部３２では、受信した電気信号を基に反射光の明暗の明部と暗部との時間幅を示す受光データを生成し、コントロール部３５に転送する。コントロール部３５では、受光データを取得するとともに、メモリー部３８の予め設定された特定番地に受光データを書き込む。複数の受光データの書き込みが終了した時点で割り込みが発生し、情報処理部３７においてデータの正誤を判断するための照合処理が行われる。
【００３５】
本照合は、バーコードＢ１の規格に基づいて行われる。例えば、バーコードＢ１の両端部チェックデジットをメモリー部３８に記憶された規格と照合してもよい。読取判定工程Ｓ３で正しく読取られていないと判定された場合（ＮＯ）は、標識読取工程Ｓ２にもどりバーコードの読み取り動作を繰り返す。読取判定工程Ｓ３で正しく読取られたと判定された場合（ＹＥＳ）は、マーキング工程Ｓ４に進む。なお、バーコードＢ１が正しく読取られたと判定したときは、ハンディスキャナー１００の図示しないブザーや図示しないディスプレイで読み取りＯＫの表示をしてもよい。
【００３６】
マーキング工程Ｓ４では、描画部２０によりバーコードＢ１の表示領域にかかるようにマークＭを描画する。読取判定工程Ｓ３でバーコードＢ１が正しく読取られたと判定したとき、コントロール部３５の指令に基づいてヘッドドライバー３４からインクジェットヘッド２１に駆動信号を送り、ノズル２６からバーコードＢ１の表示領域にかかるようにインク滴を吐出し、直線状のマークＭを描画する。用紙Ｐに記載されたバーコードＢ毎に上述の作業を繰り返す。
【００３７】
以下、本実施例の効果を記載する。
（１）上述のハンディスキャナー１００は、標識読取部１０によって、用紙Ｐに表示されたバーコードＢを読み取ることができる。そして、読み取りが完了し、正しく読取られたことが認知されたとき、描画部２０のインクジェットヘッド２１によって、バーコードＢの表示領域内に読み取りが完了したことを示す直線状のマークＭを描画する。そのため、このバーコードＢに対して読み取りが完了したことを明らかにすることができ、同一バーコードＢの２度読みやバーコードＢの読みとばし等の読み取りミスを低減することができる。その結果、バーコード読み取り作業の信頼性を向上させることができる。
【００３８】
（２）上述のハンディスキャナー１００は、反射部１４からのレーザー光線の照射方向とマークＭを描画するインクジェットヘッド２１のインク吐出方向とは交差するように設定されている。そのため、１つのバーコードＢの表示領域に対して、バーコードＢの読み取りおよびマークＭの描画の双方を行うことができる。その結果、用紙Ｐに特定の印字領域を設ける必要がなく、一覧表の様式を自由に決めることができるとともに、一覧表のサイズを小さくすることができる。
【００３９】
（３）上述のハンディスキャナー１００は、バーコードＢの表示領域に対してバーコードＢを横切る形の直線状のマークＭを描画する。すなわち、バーコードＢの黒バー、白バーを横切る形でマークＭを描画する。そのため、マークＭを識別しやすくすることができる。また、マークＭはほぼ直線であるため、バーコードＢの一部しか覆わない。そのため、必要があればバーコードＢの再読が可能である。
【００４０】
以上、本発明の実施例について説明したが、上記実施例に対しては、本発明の趣旨から逸脱しない範囲で様々な変形を加えることができる。例えば上記実施例以外の変形例は、以下の通りである。
【００４１】
（第１変形例）
上記実施例では、標識読取部１０として、レーザースキャン方式を採用した場合について説明したが、これに限定しない。標識読み取り方式として、ＣＣＤスキャン方式やイメージセンシング方式等を採用してもよい。また、上記実施例では、描画部２０のインクジェットヘッド２１のインク滴の吐出方向を鉛直方向とし、標識読取部１０の光線の照射方向をインク滴の吐出方向に対して斜めに配置する場合について説明したが、これに限定されない。標識読取部１０の光線の照射方向を鉛直方向とし、インクジェットヘッド２１のインク滴の吐出方向と標識読取部１０の光線の照射方向とを互いに斜めにしてもよい。すなわち、標識読取部１０と描画部２０とは、標識読取部１０の読み取り可能領域と描画部２０の描画可能領域が重なり合う領域を有するように配置されていればよい。
【００４２】
（第２変形例）
上記実施例では、描画部２０のインクジェットヘッド２１が固定している場合について説明したが、これに限定されない。インクジェットヘッド２１は、ノズル２６の配列方向もしくは配列方向と直交する方向に対して移動可能としてもよい。インクジェットヘッド２１の移動機構としては、公知の直線移動機構、例えばリンク機構やカムシャフト機構を採用することができる。この構成によってマークＭの線種や形態を増やすことができる。
【００４３】
（第３変形例）
上記実施例では、描画部２０のインクジェットヘッド２１が１つであり、また、ノズル２６が１列の場合について説明したが、これに限定されない。インクジェットヘッド２１をＹ方向に並列配置してもよいし、ノズル列２６ａを千鳥配置もしくは複数配列にしてもよい。このようにすることによってマークＭの線種や形態を増やすことができる。
【符号の説明】
【００４４】
１０…標識読取部、１２…発光部、１２ａ…レーザー光源、１４…反射部、１５…走査ミラー、１６…受光部、２０…描画部、２１…インクジェットヘッド、２６…ノズル、２７…ヘッド本体、３０…制御部、３２…信号変換部、３４…ヘッドドライバー、３５…コントロール部、３７…情報処理部、５０…筐体、５１…本体部、１００…スキャナー装置としてのハンディスキャナー、Ｂ１，Ｂ…標識としてのバーコード、Ｍ…マーク、Ｐ…用紙。
【図１】
2012022550.tif 000003
【図２】
2012022550.tif 000004
【図３】
2012022550.tif 000005
【図４】
2012022550.tif 000006
【図５】
2012022550.tif 000007
【図６】
2012022550.tif 000008